(57)【要約】【課題】主要部への通電オフ中の不要な電力消費を低減することを目的とする。【解決手段】外部機器と通信可能な通信装置であって、通信装置の主要部への通電オフ中に、外部機器と通信可能な第１の通信手段と、主要部への通電中において、外部機器と通信可能な第２の通信手段と、主要部への通電がオフにされた場合に、第１の通信手段と外部機器を接続するよう制御する通信制御手段とを有し、通信制御手段は、主要部への通電がオフされ、第１の通信手段と外部機器とが接続された場合において、第２の通信手段を利用する特定機能を利用できない場合に、第１の通信手段と外部機器の接続を切断するよう制御する。【選択図】図２
2018109892.tif 000002
【特許請求の範囲】
【請求項１】
外部機器と通信可能な通信装置であって、
前記通信装置の主要部への通電オフ中に、外部機器と通信可能な第１の通信手段と、
前記主要部への通電中において、外部機器と通信可能な第２の通信手段と、
前記主要部への通電がオフにされた場合に、前記第１の通信手段と外部機器を接続するよう制御する通信制御手段と
を有し、
前記通信制御手段は、前記主要部への通電がオフされ、前記第１の通信手段と前記外部機器とが接続された場合において、前記第２の通信手段を利用する特定機能を利用できない場合に、前記第１の通信手段と前記外部機器の接続を切断するよう制御することを特徴とする通信装置。
【請求項２】
前記通信制御手段は、前記第１の通信手段と前記外部機器とが接続された場合において、前記特定機能を利用できる場合に、前記第１の通信手段と前記外部機器の接続を切断しないよう制御することを特徴とする請求項１に記載の通信装置。
【請求項３】
前記通信制御手段は、前記特定機能を利用できない場合に、前記第１の通信手段と前記外部機器の接続を切断し、前記第１の通信手段への通電をオフするよう制御する請求項１又は２に記載の通信装置。
【請求項４】
前記通信制御手段は、前記第１の通信手段と前記外部機器との接続の切断を示す通知情報を前記外部機器に送信した後に、前記第１の通信手段と前記外部機器との接続を切断するよう制御することを特徴とする請求項１乃至３の何れか１項に記載の通信装置。
【請求項５】
画像を撮像する撮像手段と、
前記撮像手段により撮像された画像を、前記通信装置に装着された着脱可能な記録媒体に記録する記録手段と
をさらに有し、
前記特定機能は、前記記録媒体に記録された画像を前記第２の通信手段を利用して外部機器に送信する機能であり、
前記通信制御手段は、前記特定機能としての、前記記録媒体に記憶された画像を外部装置に転送する転送機能を利用できない場合に、前記第１の通信手段と前記外部機器の接続を切断するよう制御することを特徴とする請求項１乃至４の何れか１項に記載の通信装置。
【請求項６】
前記通信制御手段は、前記記録媒体が前記通信装置に装着されていない場合に、前記転送機能を利用できないと判定することを特徴とする請求項５に記載の通信装置。
【請求項７】
前記通信制御手段は、前記通信装置が前記記録媒体を利用可能な状態でない場合に、前記転送機能を利用できないと判定することを特徴とする請求項５に記載の通信装置。
【請求項８】
前記通信制御手段は、前記記録媒体に前記画像が記録されていない場合に、前記転送機能を利用できないと判定することを特徴とする請求項５に記載の通信装置。
【請求項９】
前記通信制御手段は、前記通信装置の電池残量が閾値未満の場合に、前記特定機能を利用できないと判定することを特徴とする請求項１乃至４の何れか１項に記載の通信装置。
【請求項１０】
主要部への通電オフ中に、外部機器と通信可能な第１の通信手段と、前記主要部への通電中において、外部機器と通信可能な第２の通信手段とを有する通信装置の制御方法であって、
前記主要部への通電がオフにされた場合に、前記第１の通信手段と外部機器を接続するよう制御する第１のステップと、
前記主要部への通電がオフされ、前記第１の通信手段と前記外部機器とが接続された場合において、前記第２の通信手段を利用する特定機能を利用できない場合に、前記第１の通信手段と前記外部機器の接続を切断するよう制御する第２のステップと
を含むことを特徴とする通信装置の制御方法。
【請求項１１】
コンピュータに、請求項１０に記載の制御方法の各ステップを実行させるためのプログラム。
【発明の詳細な説明】
【技術分野】
【０００１】
本発明は、通信装置、通信装置の制御方法及びプログラムに関する。
【背景技術】
【０００２】
従来、外部機器と接続するために、様々な通信手段を有する撮像装置が存在する。複数の通信手段を持ち、ある通信手段から別の通信手段へ自動で切り替えるような撮像装置も存在している。撮像装置の主要部への通電オフ中に通信手段への通電を継続し、撮像装置の通信手段以外の通電オフ中においても、外部機器において撮像装置に記憶された写真を閲覧、保存、共有、Ｒａｔｉｎｇ設定するような新たな写真の楽しみ方が提案されている。
【０００３】
特許文献１には、通信手段以外の通電を切断した後に、周期的に記録メディアの中身を確認し、外部機器へ送信する写真が無くなり次第、通信手段を切断し無効にする技術が開示されている。特許文献２には、通信手段を介した外部機器との接続中、データ転送が開始されないまま所定時間が経過した場合に、通信手段を切断する技術が開示されている。
【先行技術文献】
【特許文献】
【０００４】
【特許文献１】特開２０１５−２２０６８３号公報
【特許文献２】特開２０１５−１８００４３号公報
【発明の概要】
【発明が解決しようとする課題】
【０００５】
しかしながら、上述の特許文献に開示された技術では、写真の閲覧、保存、共有、Ｒａｔｉｎｇ設定機能の使用が不可能な場合においても、通信手段の接続が継続し、不要な電力を消費してしまうという問題がある。
【０００６】
本発明はこのような問題点に鑑みなされたもので、主要部への通電オフ中の不要な電力消費を低減することを目的とする。
【課題を解決するための手段】
【０００７】
そこで、本発明は、外部機器と通信可能な通信装置であって、前記通信装置の主要部への通電オフ中に、外部機器と通信可能な第１の通信手段と、前記主要部への通電中において、外部機器と通信可能な第２の通信手段と、前記主要部への通電がオフにされた場合に、前記第１の通信手段と外部機器を接続するよう制御する通信制御手段とを有し、前記通信制御手段は、前記主要部への通電がオフされ、前記第１の通信手段と前記外部機器とが接続された場合において、前記第２の通信手段を利用する特定機能を利用できない場合に、前記第１の通信手段と前記外部機器の接続を切断するよう制御することを特徴とする。
【発明の効果】
【０００８】
本発明によれば、主要部への通電オフ中の不要な電力消費を低減することができる。
【図面の簡単な説明】
【０００９】
【図１】撮像装置を示す図である。
【図２】制御処理を示すフローチャートである。
【図３】通知情報の表示例を示す図である。
【図４】ハンドオーバー処理の説明図である。
【発明を実施するための形態】
【００１０】
以下、本発明の実施形態について図面に基づいて説明する。図１は、実施形態に係る撮像装置を示す図である。撮像装置は、外部機器と通信可能な通信装置の一例である。１００は撮影レンズである。撮影レンズの種類としては、単焦点レンズやズームレンズが存在する。１０１は撮像素子である。撮像素子１０１にはＣＣＤやＣＭＯＳセンサなどが用いられ、撮影レンズ１００によって結像された被写体像を電気信号に変換する。１０２はＡ／Ｄ変換器である。Ａ／Ｄ変換器１０２は撮像素子１０１のアナログ出力信号をデジタル信号に変換する。
【００１１】
１０３はＣＰＵである。ＣＰＵ１０３は各構成要素の制御やデータ処理など撮像装置全体を制御する。ＣＰＵ１０３は、操作部１１２からの操作指示を受けた制御、表示部１１１へ表示する画像生成、第１の通信部１２１、第２の通信部１２２、第３の通信部１２３による外部機器との通信制御等を行う。１０４は揮発性メモリである。揮発性メモリ１０４はＡ／Ｄ変換器でデジタル信号に変換された画像データを一時的に保持する。１０５は不揮発性メモリである。不揮発性メモリ１０５にはＣＰＵ１０３で処理する撮像装置の実行プログラム等が記憶される。不揮発性メモリ１０５には第１の通信部１２１、第２の通信部１２２、第３の通信部１２３を介して外部機器と通信するための設定値も記憶されている。
【００１２】
第１の通信部１２１、第２の通信部１２２及び第３の通信部１２３は、それぞれ異なる通信方式を利用した通信を行う。本実施形態においては、第１の通信部１２１は、変調した無線信号をアンテナから出力し、またアンテナで受信した無線信号を復調することによりＩＥＥＥ８０２．１５の規格（いわゆるＢｌｕｅｔｏｏｔｈ（登録商標））に従った無線通信を実現する。本実施形態においては、Ｂｌｕｅｔｏｏｔｈ通信は、低消費電力であるＢｌｕｅｔｏｏｔｈ  Ｌｏｗ  Ｅｎｅｒｇｙのバージョン４．０を採用する。Ｂｌｕｅｔｏｏｔｈ通信は、無線ＬＡＮ通信と比べて通信可能な範囲が狭い（つまり、通信可能な距離が短い）。また、Ｂｌｕｅｔｏｏｔｈ通信は、無線ＬＡＮ通信と比べて通信速度が遅い。その一方で、Ｂｌｕｅｔｏｏｔｈ通信は、無線ＬＡＮ通信と比べて消費電力が少ない。以下、第１の通信部１２１による通信を「ＢＬＥ」とする。
【００１３】
また、第２の通信部１２２による通信は無線ＬＡＮの一つのＷｉＦｉとする。さらに、第３の通信部１２３による通信はＵＳＢとする。各通信部を用いて、外部機器からの撮像装置に関する撮影、設定変更、または、撮像装置内の画像閲覧、画像取得等の処理を行う。接続先の機器としては、ＰＣやスマートフォン等が挙げられる。
【００１４】
１０６は画像処理部である。画像処理部１０６では、撮影された画像に対する画像処理を行う。１１０は撮像装置に対し着脱可能な記録メディア（記録媒体）である。記録メディア１１０としては、ＣＦカードやＳＤカードが挙げられる。ＣＰＵ１０３は、揮発性メモリ１０４に保存されているデータの記録メディア１１０への書き込み、記録メディア１１０に保存されているデータの揮発性メモリ１０４への読み出しを行う。ＣＰＵ１０３は、例えば撮影された画像を記録メディア１１０に記録する。
【００１５】
１１１は表示部である。表示部１１１は、ＣＰＵ１０３によって制御され、メニューの表示等を行う。１１２は操作部である。操作部１１２は、ユーザ操作を受け付ける。操作部１１２には、撮像装置の電源をオフ、オンするようなメカスイッチも含まれる。メディアセンサ１１３は、記録メディア１１０が撮装置に装着されたか否かを検知する。扉センサ１１４は、記録メディア１１０の挿入口に設けられた扉（不図示）の開閉を検知する。電源部１１５は、撮像装置の各部への電力供給を行う。
【００１６】
本実施形態に係る撮像装置は、主電源オフの操作が行われた場合に、撮像装置の撮像に係る部材や第２の通信部１２２等主要部への通電をオフするが、第１の通信部１２１への通電は継続して行う。これは、外部機器とのＢＬＥ接続を可能とし、外部機器からの、特定機能の利用を可能とするためである。ここで、特定機能とは、撮像装置の記録メディア１１０に記録された画像の閲覧、削除、保存、共有等、第２の通信部１２２によるＷｉＦｉ接続を利用した機能である。すなわち、特定機能は、記録メディア１１０に記録された画像を外部機器に転送する転送機能を含む。第１の通信部１２１は、主要部への通電オフ中に外部機器と通信可能である。一方で、第２の通信部１２２は、主要部への通電中においては外部機器と通信可能であるが、主要部への通電オフ中は外部機器との通信を行うことができない。
【００１７】
外部機器から特定機能の実行が要求されると、撮像装置は、ＢＬＥ接続からＷｉＦｉ接続へのハンドオーバー処理を行い、ＷｉＦｉ接続を利用して、要求に応じた特定機能を実行する。しかしながら、特定機能が利用できない場合には、ＢＬＥ接続を継続する意味がない。そこで、撮像装置は、主要部への通電オフ時に特定機能が利用できるか否かを判定し、特定機能が利用できないと判定した場合には、ＢＬＥ接続を切断する制御処理を行う。以下、制御処理について説明する。
【００１８】
図２は、撮像装置による制御処理を示すフローチャートである。本制御処理は、第１の通信部１２１が行う処理である。なお、本実施形態においては、主電源オフ後も通電が継続する部材には、第１の通信部１２１の他、メディアセンサ１１３及び扉センサ１１４が含まれるものとし、通電がオフされる主要部は、図１に示す部材のうち、上記以外の部材であるものとする。なお、主電源オフの操作が行われた場合に通電が継続される部材は第１の通信部１２１を含めばよく、これ以外の部材については実施形態に限定されるものではない。
【００１９】
Ｓ２０１において、第１の通信部１２１は、ＢＬＥ接続の検知を開始する。なお、ＢＬＥ無線通信との接続を行うための事前設定は表示部１１１、操作部１１２を利用したユーザ操作により完了しているものとする。次に、Ｓ２０２において、第１の通信部１２１は、外部機器とＢＬＥ接続されたか否かを判定する。第１の通信部１２１は、外部機器とＢＬＥ接続されたと判定した場合には（Ｓ２０２でＹｅｓ）、処理をＳ２０３へ進める。第１の通信部１２１は、ＢＬＥ接続されていないと判定した場合には（Ｓ２０２でＮｏ）、Ｓ２０２の処理を繰り返す。Ｓ２０３において、第１の通信部１２１は、メディアセンサ１１３の検知結果から、撮像装置に記録メディア１１０が挿入（装着）されているか否かを判定する。第１の通信部１２１は、記録メディア１１０が挿入されていると判定した場合には（Ｓ２０３でＹｅｓ）、処理をＳ２０４へ進める。第１の通信部１２１は、記録メディア１１０が挿入されていないと判定した場合には（Ｓ２０３でＮｏ）、処理をＳ２０９へ進める。
【００２０】
Ｓ２０４において、第１の通信部１２１は、扉センサ１１４の検知結果から、記録メディア１１０の挿入口の蓋が開いているか否かを判定する。第１の通信部１２１は、蓋が開いていると判定した場合には（Ｓ２０４でＹｅｓ）、処理をＳ２０５へ進める。第１の通信部１２１は、蓋が閉じていると判定した場合には（Ｓ２０４でＮｏ）、ＢＬＥ接続を切断することなく、制御処理を終了する。Ｓ２０５において、第１の通信部１２１は、電源部１１５の電池残量が、残量閾値以上か否かを判定する。ここで、残量閾値は、予め設定された値であり、ＷｉＦｉ接続に必要な電池残量の最低値に応じて定まる値である。第１の通信部１２１は、電池残量が残量閾値以上であると判定した場合には（Ｓ２０５でＹｅｓ）、処理をＳ２０６へ進める。第１の通信部１２１は、電池残量が残量閾値未満であると判定した場合には（Ｓ２０５でＮｏ）、処理をＳ２０９へ進める。
【００２１】
Ｓ２０６において、第１の通信部１２１は、メディアセンサ１１３の検知結果から、撮像装置に記録メディア１１０が挿入されているか否かを判定する。第１の通信部１２１は、記録メディア１１０が挿入されていると判定した場合には（Ｓ２０６でＹｅｓ）、処理をＳ２０７へ進める。第１の通信部１２１は、記録メディア１１０が挿入されていないと判定した場合には（Ｓ２０６でＮｏ）、処理をＳ２０９へ進める。Ｓ２０７において、第１の通信部１２１は、記録メディア１１０がマウント可能か判定する。第１の通信部１２１は、マウント可能と判定した場合には（Ｓ２０７でＹｅｓ）、処理をＳ２０８へ進める。第１の通信部１２１は、マウント不可能と判定した場合には（Ｓ２０７でＮｏ）、処理をＳ２０９へ進める。ここでいう記録メディアのマウントとは、撮像装置のＯＳに記録メディアを認識させ、利用可能な状態にすることである。Ｓ２０８において、第１の通信部１２１は、記録メディア１１０内に画像が記録されているか否かを判定する。第１の通信部１２１は、画像が記録されていると判定した場合には（Ｓ２０８でＹｅｓ）、ＢＬＥ接続を切断することなく、制御処理を終了する。第１の通信部１２１は、画像が記録されていないと判定した場合には（Ｓ２０８でＮｏ）、処理をＳ２０９へ進める。
【００２２】
Ｓ２０９において、第１の通信部１２１は、ＢＬＥ接続中の外部機器に対し、ＢＬＥ接続の切断を通知する通知情報を送信する。外部機器は通知情報を受信すると、通知情報を表示部に表示する。図３は、通知情報の表示例を示す図である。外部機器の表示部３００には、通知情報として「ＢＬＥ接続を切断しました。」という情報が表示されている。これにより、ユーザは、撮像装置が外部機器から接続できない状態であることを認識することができる。次に、Ｓ２１０において、第１の通信部１２１は、ＢＬＥ接続を切断し、続いて第１の通信部１２１への通電をオフするよう制御する。以上で、制御処理を終了する。なお、他の例としては、第１の通信部１２１は、Ｓ２１０において、ＢＬＥ接続を切断し、第１の通信部１２１への通電は継続することとしてもよい。
【００２３】
図２を参照しつつ説明した制御処理においてＢＬＥ接続が切断されることなく継続している場合において、外部機器から特定機能の実行指示を受け付けた場合には、ＢＬＥ接続からＷｉＦｉ接続へのハンドオーバー処理が行われる。図４を参照しつつハンドオーバー処理について説明する。図４（ａ）は、外部機器の表示部３００に表示される表示画面例を示す図である。図４（ｂ）は、撮像装置の表示部１１１に表示される表示画面例を示す図である。外部機器の表示部３００に図４（ａ）に示すホーム画面４０１が表示された状態で、ユーザが専用のユーザアプリケーションを選択すると、画面表示は選択画面４０２へ移行する。選択画面４０２においてユーザが無線ＬＡＮ接続を選択すると、画面表示は無線ＬＡＮ接続画面４０３へ移行する。そして、無線ＬＡＮ接続が完了すると、画面表示は、接続中画面４０４へ移行する。
【００２４】
外部機器の選択画面４０２において無線ＬＡＮ接続が選択されると、外部機器から撮像装置に選択指示が送信され、撮像装置の主電源がオンされ、主要部への通電が開始される。そして、図４（ｂ）に示すライブビュー画面４１１が表示される。ユーザは、操作部１１２を操作することにより、外部機器との無線ＬＡＮ接続に移行させる。これにより、撮像装置の画面表示はライブビュー画面３１１から接続待機中画面４１２へ移行する。無線ＬＡＮ接続する外部機器が検知されると、画面表示は、接続中画面４１３へ移行し、接続が完了すると接続完了画面４１４へ移行する。
【００２５】
以上のように、本実施形態に係る撮像装置は、主要部への通電オフ時においてＢＬＥ接続を開始する。ただし、ＷｉＦｉ接続を用いた特定機能を利用できない場合には、ＢＬＥ接続からＷｉＦｉ接続へのハンドオーバー処理を行う必要がないため、この場合には、ＢＬＥ接続を切断し、通電をオフするよう制御する。これにより、主要部への通電オフ中の不要な電力消費を低減することができる。
【００２６】
以上、本発明の好ましい実施形態について詳述したが、本発明は係る特定の実施形態に限定されるものではなく、特許請求の範囲に記載された本発明の要旨の範囲内において、種々の変形・変更が可能である。
【００２７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００２８】
１０１  撮像素子
１１０  記録メディア
１２１  第１の通信部
１２２  第２の通信部
１２３  第３の通信部
【図１】
2018109892.tif 000003
【図２】
2018109892.tif 000004
【図３】
2018109892.tif 000005
【図４】
2018109892.tif 000006